(57)【要約】【課題】本発明は固定できるスマホホルダーを開示した。【解決手段】ホルダーを含み、前記ホルダーの中には昇降溝が設置され、前記昇降溝の中には昇降ブロックがスライドできるように設置され、前記昇降ブロックの上端には引き糸が固定的に設置され、前記昇降溝の上側には回転装置が設置され、前記回転装置が前記引き糸と固定的に連結され、前記昇降ブロックの中には開き溝が設置され、本発明は構成が簡単で、操作が便利で、スマホホルダーが使用されていない時、収縮状態にあり、携帯や置くことに便利であり、スマホホルダーを使用する時、回転装置により伸縮ロッドが外部空間まで伸び、調節できる支持ロッドにより当該スマホホルダーは自由に高さを調節でき、使用が便利である。【選択図】図１
2020178331.tif 000002
【特許請求の範囲】
【請求項１】
正面視で、ホルダーを含み、前記ホルダーの中には昇降溝が設置され、前記昇降溝の中には昇降ブロックがスライドできるように設置され、前記昇降ブロックの上端には引き糸が固定的に設置され、前記昇降溝の上側には回転装置が設置され、前記回転装置が前記引き糸と固定的に連結され、前記昇降ブロックの中には開き溝が設置され、前記開き溝の中には左右対称の回転ロッドが回転できるように設置され、前記昇降溝の左右側には対称的な連結溝が連通するように設置され、前記連結溝と外部空間との間には収縮チャンバが連通するように設置され、前記回転ロッドの下端が前記連結溝を貫通して前記収縮チャンバの中に伸びており、前記収縮チャンバの中には収縮ロッドが回転できるように設置され、前記収縮ロッドと前記収縮チャンバの内壁との間には連結ばねが固定的に設置され、前記収縮ロッドのうち前記昇降溝に近接している端面には連結ブロックが固定的に設置され、前記連結ブロックが前記回転ロッドの下端とヒンジにより連結され、左右の前記収縮ロッドにはそれぞれ支持溝が設置され、前記支持溝の下側にはロック装置が設置され、前記支持溝の中には支持ロッドがスライドできるように設置され、前記ロック装置が前記支持ロッドと噛み合うように連結され、前記支持溝の上端壁の中にはガイドスライド溝が連通するように設置され、前記支持ロッドの上端面には前記ガイドスライド溝とスライドできるように連結されているガイドスライドブロックが固定的に設置され、前記支持ロッドの中には回転溝が設置され、前記回転溝の中には固定ギヤが固定的に設置され、前記固定ギヤのうち前記昇降溝から離れている一端には回転ギヤが噛み合うように連結され、前記回転ギヤのうち前記固定ギヤから離れている一端には固定ブロックが固定的に設置され、前記支持ロッドのうち前記昇降溝から離れている片側には支持ブロックが設置され、前記支持ブロックの中には外部空間に連通している調節溝が設置され、前記固定ブロックのうち前記固定ギヤから離れている一端が前記調節溝の中に伸びており、且つ前記固定ブロックのうち前記固定ギヤから離れている一端には調節ブロックが固定的に設置され、前記調節ブロックが前記調節溝の上下端壁と当接し、前記支持ブロックのうち前記昇降溝から離れている端面には滑り止めパッドが固定的に設置され、前記ホルダーの中にはスマホを置くことができる置き溝が設置されていることを特徴とする固定できるスマホホルダー。
【請求項２】
前記回転装置は前記昇降溝に連通している回転チャンバを含み、前記回転チャンバの中には回転軸により回転輪が回転できるように設置され、前記回転チャンバの後側が外部空間に連通しており、前記回転軸の後端が外部空間に伸びており、且つ前記回転軸の後端には第一回転ブロックが固定的に設置され、前記引き糸の上端が前記回転チャンバの中に伸びており、且つ前記引き糸の上端が前記回転輪に巻きつくように設置され、前記回転輪には引っ掛かり溝が設置され、前記回転チャンバには回し溝が外部空間と連通するように設置され、前記回し溝の中には左端が前記引っ掛かり溝と引っ掛かるように連結されている回しロッドがスライドできるように設置され、前記回しロッドの右端と前記回し溝との間には押しばねが固定的に設置されていることを特徴とする請求項１に記載の固定できるスマホホルダー。
【請求項３】
前記ロック装置は前記収縮ロッドと固定的に連結されているロックブロックを含み、前記ロックブロックの中には前記支持溝に連通している押し溝が設置され、前記押し溝の中には推しブロックがスライドできるように設置され、前記推しブロックの下端と前記押し溝との間には左右対称の伸縮ばねが固定的に設置され、前記推しブロックの中には回転溝が設置され、前記回転溝の中には前記支持ロッドと噛み合っているロックギヤが固定的に設置され、前記押し溝の下側には推し溝が設置され、前記推し溝と前記押し溝との間には扇形回転溝が連通するように設置され、前記扇形回転溝の中には上端が前記押し溝の中に伸びている押しブロックが回転できるように設置され、前記推し溝の右側が外部空間に連通しており、前記押しブロックの右端面には右端が外部空間に伸びている第二回転ブロックが固定的に設置されていることを特徴とする請求項１に記載の固定できるスマホホルダー。
【発明の詳細な説明】
【技術分野】
【０００１】
本発明は日常用品技術分野を取り上げて、具体的には固定できるスマホホルダーである。
【背景技術】
【０００２】
現有のスマホホルダーは、分離式ホルダーと固定式ホルダーという二つの種類に分けられ、固定式ホルダーはホルダーが直接スマホの外殻又は裏カバーに固定されるので、固定式ホルダーはそれとマッチングするスマホだけに使用されることができ、取り外すことができなく、且つ実際にスマホを見る高さにより調節できなく、機能性が制限されている。
分離式ホルダーはスマホの置く傾角を調節できるホルダーと調節できないホルダーという二つの種類に分けられ、二つの種類のホルダーにはいずれも携帯の置く高さを調節できない問題が存在し、次に、スマホホルダーと置く台とが当接状態にあり、置く台が平らでない又は傾斜する時、ホルダーが傾いて倒れやすく、且つスマホのスクリーンが傾き、スマホを見るのが不便である。
そのため、現有技術の中のスマホホルダーを更に改善する必要があり、これによりスマホホルダーの機動性と適用性を向上させる。
【先行技術文献】
【特許文献】
【０００３】
【特許文献１】中国特許出願公開第１０８２３４７１２号明細書
【発明の概要】
【発明が解決しようとする課題】
【０００４】
本発明は固定できるスマホホルダーを提供し、従来技術における上記欠点を解消することを目的とする。
【課題を解決するための手段】
【０００５】
本発明の固定できるスマホホルダーは、ホルダーを含み、前記ホルダーの中には昇降溝が設置され、前記昇降溝の中には昇降ブロックがスライドできるように設置され、前記昇降ブロックの上端には引き糸が固定的に設置され、前記昇降溝の上側には回転装置が設置され、前記回転装置が前記引き糸と固定的に連結され、前記昇降ブロックの中には開き溝が設置され、前記開き溝の中には左右対称の回転ロッドが回転できるように設置され、前記昇降溝の左右側には対称的な連結溝が連通するように設置され、前記連結溝と外部空間との間には収縮チャンバが連通するように設置され、前記回転ロッドの下端が前記連結溝を貫通して前記収縮チャンバの中に伸びており、前記収縮チャンバの中には収縮ロッドが回転できるように設置され、前記収縮ロッドと前記収縮チャンバの内壁との間には連結ばねが固定的に設置され、前記収縮ロッドのうち前記昇降溝に近接している端面には連結ブロックが固定的に設置され、前記連結ブロックが前記回転ロッドの下端とヒンジにより連結され、左右の前記収縮ロッドにはそれぞれ支持溝が設置され、前記支持溝の下側にはロック装置が設置され、前記支持溝の中には支持ロッドがスライドできるように設置され、前記ロック装置が前記支持ロッドと噛み合うように連結され、前記支持溝の上端壁の中にはガイドスライド溝が連通するように設置され、前記支持ロッドの上端面には前記ガイドスライド溝とスライドできるように連結されているガイドスライドブロックが固定的に設置され、前記支持ロッドの中には回転溝が設置され、前記回転溝の中には固定ギヤが固定的に設置され、前記固定ギヤのうち前記昇降溝から離れている一端には回転ギヤが噛み合うように連結され、前記回転ギヤのうち前記固定ギヤから離れている一端には固定ブロックが固定的に設置され、前記支持ロッドのうち前記昇降溝から離れている片側には支持ブロックが設置され、前記支持ブロックの中には外部空間に連通している調節溝が設置され、前記固定ブロックのうち前記固定ギヤから離れている一端が前記調節溝の中に伸びており、且つ前記固定ブロックのうち前記固定ギヤから離れている一端には調節ブロックが固定的に設置され、前記調節ブロックが前記調節溝の上下端壁と当接し、前記支持ブロックのうち前記昇降溝から離れている端面には滑り止めパッドが固定的に設置され、前記ホルダーの中にはスマホを置くことができる置き溝が設置されている。
【０００６】
更の技術プランとしては、前記回転装置は前記昇降溝に連通している回転チャンバを含み、前記回転チャンバの中には回転軸により回転輪が回転できるように設置され、前記回転チャンバの後側が外部空間に連通しており、前記回転軸の後端が外部空間に伸びており、且つ前記回転軸の後端には第一回転ブロックが固定的に設置され、前記引き糸の上端が前記回転チャンバの中に伸びており、且つ前記引き糸の上端が前記回転輪に巻きつくように設置され、前記回転輪には引っ掛かり溝が設置され、前記回転チャンバには回し溝が外部空間と連通するように設置され、前記回し溝の中には左端が前記引っ掛かり溝と引っ掛かるように連結されている回しロッドがスライドできるように設置され、前記回しロッドの右端と前記回し溝との間には押しばねが固定的に設置されている。
【０００７】
更の技術プランとしては、前記ロック装置は前記収縮ロッドと固定的に連結されているロックブロックを含み、前記ロックブロックの中には前記支持溝に連通している押し溝が設置され、前記押し溝の中には推しブロックがスライドできるように設置され、前記推しブロックの下端と前記押し溝との間には左右対称の伸縮ばねが固定的に設置され、前記推しブロックの中には回転溝が設置され、前記回転溝の中には前記支持ロッドと噛み合っているロックギヤが固定的に設置され、前記押し溝の下側には推し溝が設置され、前記推し溝と前記押し溝との間には扇形回転溝が連通するように設置され、前記扇形回転溝の中には上端が前記押し溝の中に伸びている押しブロックが回転できるように設置され、前記推し溝の右側が外部空間に連通しており、前記押しブロックの右端面には右端が外部空間に伸びている第二回転ブロックが固定的に設置されている。
【発明の効果】
【０００８】
本発明の有益効果は：本発明は構成が簡単で、操作が便利で、スマホホルダーが使用されていない時、収縮状態にあり、形が固定されており、とるスペースが小さく、携帯や置くことに便利であり、スマホホルダーを使用する時、回転装置により伸縮ロッドが外部空間まで伸び、調節できる支持ロッドにより当該スマホホルダーは自由に高さを調節でき、次に、支持ブロックの角度を調整することにより、置く台が平らでないためホルダーの安定性が低い問題を解決し、このホルダーの使用範囲が広く、使用が便利である。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の固定できるスマホホルダーの全体構成模式図
【図２】図２は本発明の中の図１の「Ａ−Ａ」方向の構成模式図
【図３】図３は本発明の中の図１の「Ｂ」の拡大構成模式図
【図４】図４は本発明の中の図１の「Ｃ−Ｃ」の拡大構成模式図
【図５】図５は本発明の中の図３の「Ｄ−Ｄ」方向の構成模式図
【発明を実施するための形態】
【００１１】
図１〜５を参照し、本発明の実施例の固定できるスマホホルダーは、ホルダー１０を含み、前記ホルダー１０の中には昇降溝１１が設置され、前記昇降溝１１の中には昇降ブロック１２がスライドできるように設置され、前記昇降ブロック１２の上端には引き糸１４が固定的に設置され、前記昇降溝１１の上側には回転装置１００が設置され、前記回転装置１００が前記引き糸１４と固定的に連結され、前記昇降ブロック１２の中には開き溝１３が設置され、前記開き溝１３の中には左右対称の回転ロッド２３が回転できるように設置され、前記昇降溝１１の左右側には対称的な連結溝２４が連通するように設置され、前記連結溝２４と外部空間との間には収縮チャンバ２５が連通するように設置され、前記回転ロッド２３の下端が前記連結溝２４を貫通して前記収縮チャンバ２５の中に伸びており、前記収縮チャンバ２５の中には収縮ロッド２６が回転できるように設置され、前記収縮ロッド２６と前記収縮チャンバ２５の内壁との間には連結ばね２８が固定的に設置され、前記収縮ロッド２６のうち前記昇降溝１１に近接している端面には連結ブロック２７が固定的に設置され、前記連結ブロック２７が前記回転ロッド２３の下端とヒンジにより連結され、左右の前記収縮ロッド２６にはそれぞれ支持溝２９が設置され、前記支持溝２９の下側にはロック装置２００が設置され、前記支持溝２９の中には支持ロッド３０がスライドできるように設置され、前記ロック装置２００が前記支持ロッド３０と噛み合うように連結され、前記支持溝２９の上端壁の中にはガイドスライド溝５１が連通するように設置され、前記支持ロッド３０の上端面には前記ガイドスライド溝５１とスライドできるように連結されているガイドスライドブロック４７が固定的に設置され、前記支持ロッド３０の中には回転溝３１が設置され、前記回転溝３１の中には固定ギヤ３２が固定的に設置され、前記固定ギヤ３２のうち前記昇降溝１１から離れている一端には回転ギヤ３３が噛み合うように連結され、前記回転ギヤ３３のうち前記固定ギヤ３２から離れている一端には固定ブロック５０が固定的に設置され、前記支持ロッド３０のうち前記昇降溝１１から離れている片側には支持ブロック３６が設置され、前記支持ブロック３６の中には外部空間に連通している調節溝３５が設置され、前記固定ブロック５０のうち前記固定ギヤ３２から離れている一端が前記調節溝３５の中に伸びており、且つ前記固定ブロック５０のうち前記固定ギヤ３２から離れている一端には調節ブロック３４が固定的に設置され、前記調節ブロック３４が前記調節溝３５の上下端壁と当接し、前記支持ブロック３６のうち前記昇降溝１１から離れている端面には滑り止めパッド４９が固定的に設置され、前記ホルダー１０の中にはスマホを置くことができる置き溝４８が設置されている。
【００１２】
有益的には、前記回転装置１００は前記昇降溝１１に連通している回転チャンバ１５を含み、前記回転チャンバ１５の中には回転軸１６により回転輪１７が回転できるように設置され、前記回転チャンバ１５の後側が外部空間に連通しており、前記回転軸１６の後端が外部空間に伸びており、且つ前記回転軸１６の後端には第一回転ブロック１８が固定的に設置され、前記引き糸１４の上端が前記回転チャンバ１５の中に伸びており、且つ前記引き糸１４の上端が前記回転輪１７に巻きつくように設置され、前記回転輪１７には引っ掛かり溝１９が設置され、前記回転チャンバ１５には回し溝２０が外部空間と連通するように設置され、前記回し溝２０の中には左端が前記引っ掛かり溝１９と引っ掛かるように連結されている回しロッド２１がスライドできるように設置され、前記回しロッド２１の右端と前記回し溝２０との間には押しばね２２が固定的に設置されている。
【００１３】
有益的には、前記ロック装置２００は前記収縮ロッド２６と固定的に連結されているロックブロック３７を含み、前記ロックブロック３７の中には前記支持溝２９に連通している押し溝３８が設置され、前記押し溝３８の中には推しブロック３９がスライドできるように設置され、前記推しブロック３９の下端と前記押し溝３８との間には左右対称の伸縮ばね４０が固定的に設置され、前記推しブロック３９の中には回転溝４１が設置され、前記回転溝４１の中には前記支持ロッド３０と噛み合っているロックギヤ４２が固定的に設置され、前記押し溝３８の下側には推し溝４３が設置され、前記推し溝４３と前記押し溝３８との間には扇形回転溝４４が連通するように設置され、前記扇形回転溝４４の中には上端が前記押し溝３８の中に伸びている押しブロック４５が回転できるように設置され、前記推し溝４３の右側が外部空間に連通しており、前記押しブロック４５の右端面には右端が外部空間に伸びている第二回転ブロック４６が固定的に設置されている。
【００１４】
初期状態において、収縮ロッド２６が収縮チャンバ２５の中まで収縮され、連結ばね２８が圧縮状態にあり、支持ロッド３０が支持溝２９まで収縮され、ロックギヤ４２と支持ロッド３０とが噛み合っていなく、押しブロック４５が水平に置かれている。
【００１５】
装置が作動する時、回しロッド２１を引き動かして回しロッド２１を引っ掛かり溝１９から離脱させ、第一回転ブロック１８を回転させることにより回転輪１７を回転させ、これにより引き糸が緩められ、連結ばね２８の作用のもとで、収縮ロッド２６が外側へ外部空間まで回転し、回転ロッド２３により昇降ブロック１２を引き動かして収縮ロッド２６と収縮チャンバ２５とが当接するまで下降させ、この時、回転ロッド２３が水平に置かれている状態にあり、連結ばね２８が自由弾性状態にあり、次に、使用者が所要のスマホを見る高さにより、支持ロッド３０の位置を昇降させて調節し、支持ロッド３０の位置が確定された後、第二回転ブロック４６を回転させ、これにより押しブロック４５の上端が押し溝３８の中まで回転し、これにより推しブロック３９が上昇し、これによりロックギヤ４２と支持ロッド３０とが噛み合い、支持ロッド３０をロックし、そして、スマホの底部を置き溝４８の中に置けば使用でき、スマホホルダーを置く台の左右に高さの差がある時、手で回転ギヤ３３を回転させて支持ブロック３６と台とが密着することを調節し、固定ギヤ３２により回転ギヤ３３をロックし、ホルダー１０の平衡安定を保証し、スマホホルダーを置く台の前後に高さの差がある時、手で調節ブロック３４が調節溝３５での中の縦方向の位置を調節し、ホルダー１０に平衡を保たせる。
【００１６】
本発明の有益効果は：本発明は構成が簡単で、操作が便利で、スマホホルダーが使用されていない時、収縮状態にあり、形が固定されており、とるスペースが小さく、携帯や置くことに便利であり、スマホホルダーを使用する時、回転装置により伸縮ロッドが外部空間まで伸び、調節できる支持ロッドにより当該スマホホルダーは自由に高さを調節でき、次に、支持ブロックの角度を調整することにより、置く台が平らでないためホルダーの安定性が低い問題を解決し、このホルダーの使用範囲が広く、使用が便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020178331.tif 000003
【図２】
2020178331.tif 000004
【図３】
2020178331.tif 000005
【図４】
2020178331.tif 000006
【図５】
2020178331.tif 000007